(57)【要約】【課題】家庭等の使用環境下で簡単に、既存の袋体の開口部に開封−再密封機能を付加することのできる開口密封部材を提供する。【解決手段】帯状のフィルムを重ね合わせ、長手方向両端を融着させて形成した筒状体１の内面に、互いに対向するように配置された凸条の雄型テープ体２Ａおよび凹条の雌型テープ体２Ｂからなるチャックテープ２を貼着するとともに、これら雄型テープ体２Ａおよび雌型テープ体２Ｂと対向する筒状体外面に、両面テープ３，３等からなる接着帯を設け、開口密封部材を構成する。この開口密封部材により、既存袋体の開口に開封−再密封機能を付加することができる。【選択図】図１
2008295616.tif 000002
【特許請求の範囲】
【請求項１】
帯状のフィルムを重ね合わせ、長手方向両端を融着させて形成した筒状体と、この筒状体の内面に周方向に沿って互いに対向するように貼着された凸条の雄型テープ体および凹条の雌型テープ体と、前記フィルムを挟んでこれら雄型テープ体および雌型テープ体と対向する前記筒状体の外面の各位置に形成された接着帯と、からなることを特徴とする既存袋体の開口密封部材。
【請求項２】
前記接着帯が、両面接着テープを用いて形成されていることを特徴とする請求項１に記載の既存袋体の開口密封部材。
【発明の詳細な説明】
【技術分野】
【０００１】
本発明は、既存の袋体の開口に取り付けることによりその袋体を密封する密封部材に関し、更に詳しくは、再密封手段を有しない袋体を開封−再密封可能にする後付けチャックテープ部材に関する。
【背景技術】
【０００２】
食品，薬品，雑貨等の多くの分野において、嵌合式のチャック（咬合具）を内容物の出し入れ口に備え、開口部を開閉自在としたチャック（チャックテープ）付き袋体が使用されている（例えば、特許文献１〜２等を参照。）。
【０００３】
従来のチャックテープ付き袋体は、図２に示すように、基材となる樹脂フィルムからなる袋体の開口部近傍の内面に、互いに嵌合可能な凸条の雄型嵌合部が設けられたテープ体と、凹条の雌型嵌合部が設けられたテープ体とからなるチャックテープを、熱融着等により貼り付けしたものである。
【０００４】
この袋体は、製袋した時に対向する位置に予め各テープ体が貼り付けられた２枚の帯状熱可塑性フィルムまたは１枚の帯状熱可塑性フィルムを折り返して重ねることにより作製されており、充填口となる開口縁を残した周辺縁部をヒートシールして製袋（サイドシール）した後、チャックテープの両端に相当する袋体縁部を、ポイントシールにより押し潰してサイドシールの一部とする方法により製造されている。
【特許文献１】特開２００６−８７４５２号公報
【特許文献２】特開２００６−１０２０６８号公報
【発明の開示】
【発明が解決しようとする課題】
【０００５】
ところで、このようなチャックテープは、製作段階（工場）で袋体に取り付けておく必要があり、開封−再密封機能を家庭等で後日付加することはできない。しかしながら、環境意識の高まりにより、袋体も再利用することが求められてきており、既存の使用済み袋体に、この開封−再密封機能を手軽に付加できれば、袋体の再利用（ひいては省エネルギー化）を促進することができると考えられる。
【０００６】
本発明は、このような実情に鑑みてなされたものであり、家庭等の使用環境下で簡単に、既存の袋体の開口部に開封−再密封機能を付加することのできる開口密封部材を提供することを目的としている。
【課題を解決するための手段】
【０００７】
前記の目的を達成するために、請求項１に記載の発明は、帯状のフィルムを重ね合わせ、長手方向両端を融着させて形成した筒状体と、この筒状体の内面に周方向に沿って互いに対向するように貼着された凸条の雄型テープ体および凹条の雌型テープ体と、前記フィルムを挟んでこれら雄型テープ体および雌型テープ体と対向する前記筒状体の外面の各位置に形成された接着帯と、からなることを特徴とする既存袋体の開口密封部材である。
【０００８】
本発明は、内周面にチャックテープを、外周面に接着帯を備える筒状体を形成し、この筒状体を前記接着帯を用いて既存袋体の開口部内周面に取り付けることにより、所期の目的を達成しようとするものである。
【０００９】
すなわち、請求項１に記載の発明によれば、内周面に再密封可能なチャックテープを備え、外周面に接着帯を有する筒状体を作製し、この筒状体を既存袋体の開口部内面に貼り付けることにより、既存の使用済み袋体に、開封−再密封機能を付加することができる。従って、本発明の開口密封部材は、家庭等において手軽に既存袋体に再密封機能を追加することが可能で、もって既存袋体の再利用率を促進することができる。
【００１０】
なお、前記接着帯として、両面接着テープを用いる構成を好適に採用することができる（請求項２）。両面テープの一方面を予め該筒状体の外面に貼着しておくことにより、他方面側の剥離紙を剥離するだけで、この密封部材を、更に簡単に既存袋体の開口内面に取り付けることができる。
【発明の効果】
【００１１】
以上のように、本発明の既存袋体の開口密封部材は、非常に簡単かつ手軽に、袋体の開口部に取り付けることが可能で、もって既存袋体の再利用率の向上に貢献できる。
【発明を実施するための最良の形態】
【００１２】
以下、図面を参照しつつこの発明を実施するための形態について説明する。
図１（ａ）は、本発明の実施形態における既存袋体の開口密封部材の使用方法を示す図であり、図１（ｂ）は、この既存袋体の開口密封部材の構成を示す模式的断面図である。なお、図１（ｂ）における各構成部材は、その厚みを誇張して描いてある。
【００１３】
本実施形態における既存袋体の開口密封部材は、図のような袋体（１０）の開口部に取り付けて使用されるものであり、基体となる筒状体１と、この筒状体１の内面に貼着されたチャックテープ２と、この筒状体１の外面に貼着された両面テープ３とから構成されている。
【００１４】
筒状体１は、２枚の帯状樹脂フィルム１Ａ，１Ｂを繰り出し、これらの長手方向両端部を熱融着（サイドシール部１ｃ，１ｄ）した後裁断することにより作製されており、全体として、その長辺側２辺１ａ，１ｂが開口する筒状に形成されている。なお、１枚の帯状樹脂フィルムを繰り出し、折り返して重畳させることにより袋状とした後、融着・裁断する方法もある。また、袋体（１０）に挿入される側（図示下方側：１ａ）は、袋への挿入を容易にすべく、その両端の角部が切り落とされている。
【００１５】
チャックテープ２を構成する凸条の雄型テープ体２Ａおよび凹条の雌型テープ体２Ｂは、製作後に筒状体１の内面となる側の各樹脂フィルム１Ａ，１Ｂの所定位置（対向位置）に、これらの台座部２ａ，２ｂを熱融着させることにより取り付けられており、その長手方向の両端部には、チャックテープ２と筒状体１の密着を向上させる追加の熱融着（ポイントシール部２ｃ，２ｄ）が施されている。
【００１６】
また、筒状体１の外面には、図１（ｂ）に示すように、前記雄型テープ体２Ａおよび雌型テープ体２Ｂと同位相の位置に、両面テープ３，３、およびこれらに付属する剥離紙４，４が貼着されている。なお、これら両面テープ３，３に代わり、この部位に粘着剤や接着剤等を塗布することにより、各接着帯を構成しても良い。
【００１７】
この開口密封部材を使用する場合は、各両面テープ３，３に付属する剥離紙４，４を取り除き、粘着剤を露出させた状態で、既存袋体（１０）の開口から挿入し、これら両面テープ３，３の部位を圧着するだけで、既存袋体の開口を開封−再密封することができるようになる。
【００１８】
従って、本実施形態における開口密封部材は、家庭等の使用環境下で簡単に、既存の袋体の開口部に開封−再密封機能を付加するが可能である。
【図面の簡単な説明】
【００１９】
【図１】（ａ）は、本発明の実施形態における既存袋体の開口密封部材の使用方法を示す図であり、（ｂ）は、この既存袋体の開口密封部材の構成を示す模式的断面図である。
【図２】従来のチャックテープ付き袋体の構成を示す図である。
【符号の説明】
【００２０】
１  筒状体
１Ａ，１Ｂ  樹脂フィルム
１ｃ，１ｄ  サイドシール部
２  チャックテープ
２Ａ  雄型テープ体    ２Ｂ  雌型テープ体
２ａ，２ｂ  台座部
２ｃ，２ｄ  ポイントシール部
３  両面テープ
４  剥離紙
１０  袋体
【図１】
2008295616.tif 000003
【図２】
2008295616.tif 000004